(57)【特許請求の範囲】
【請求項１】
カードのデータに基づいて球排出装置が遊技球を遊技機の上皿に排出することにより玉貸しを行い、排出された遊技球を発射して遊技を行うカード式遊技機システムにおいて、
前記上皿の遊技球の残量を検出する遊技球残量検出手段と、
前記上皿の遊技球を遊技者の操作に基づいて下皿に移動させる貯留球移動手段と、
自動玉貸し状態を設定するための自動玉貸しスイッチと、
自動玉貸し状態中に前記遊技球残量検出手段により遊技球の残量が所定量以下であることを検出された場合に、前記カードのデータに基づいて前記球排出装置により遊技球を自動的に排出させる自動玉貸しを指令する自動玉貸し指令手段と、
前記貯留球移動手段の動作に基づき前記自動玉貸し状態を解除する自動玉貸し解除手段と、
を備えたことを特徴とするカード式遊技機システム。
【請求項２】
カードのデータに基づいて球排出装置が遊技球を遊技機の上皿に排出することにより玉貸しを行い、排出された遊技球を発射して遊技を行うカード式遊技機システムにおいて、
前記上皿の遊技球の残量を検出する遊技球残量検出手段と、
前記上皿の下方に配設された下皿に設けられて、遊技球を遊技者の操作に基づいて下皿から遊技機外へ移動させる貯留球移動手段と、
自動玉貸し状態を設定するための自動玉貸しスイッチと、
自動玉貸し状態中に前記遊技球残量検出手段により遊技球の残量が所定量以下であることを検出された場合に、前記カードのデータに基づいて前記球排出装置により遊技球を自動的に排出させる自動玉貸しを指令する自動玉貸し指令手段と、
前記貯留球移動手段の動作に基づき前記自動玉貸し状態を解除する自動玉貸し解除手段と、
を備えたことを特徴とするカード式遊技機システム。
【請求項３】
カードが挿入される挿入部と、
前記貯留球移動手段の動作に基づき前記挿入部に挿入されているカードの返却を行うカード返却指令手段と、
を備えたことを特徴とする請求項１または２に記載のカード式遊技機システム。
【請求項４】
前記貯留球移動手段は、遊技者の操作に基づいて上皿の遊技球を下皿に移動させる連通路を開状態にする駆動レバーと、該駆動レバーの作動を検出する上皿玉抜き検出センサを備えている請求項１または３に記載のカード式遊技機システム。
【請求項５】
前記貯留球移動手段は、遊技者の操作に基づいて下皿の遊技球を遊技機外へ移動させる開閉弁を開状態にすると共に、該開閉弁の開状態を検出する下皿玉抜き検出センサを備えている請求項２または３に記載のカード式遊技機システム。
【発明の詳細な説明】
【０００１】
【産業上の利用分野】
この発明は、カード式の遊技機システムに関する。
【０００２】
【従来の技術】
従来より、遊技機（パチンコ機）の側部にカードリーダを備えた玉貸機を配設し、磁気データが記録されたカードを玉貸機に挿入し、遊技機等に備えられた操作部からの信号によりカードに記録されたデータを遊技球（遊技媒体）の数データに変換して、遊技機に設けられた排出装置からその遊技球を直接遊技機の上皿（供給皿）に排出するカード式遊技機がある。
【０００３】
このようなカード式遊技機で遊技を行う場合、操作部に備えられた玉貸しスイッチを押すことにより、予め設定された所定単位（例えば５００円分）のデータをカードから引き落として遊技球を遊技機の上皿に供給して遊技を開始するが、遊技者は上皿内の遊技球の貯留量（残量）を見ながら必要に応じて再度玉貸しスイッチを押しながら遊技を行う。
【０００４】
この場合に、遊技者が上皿の遊技球の貯留量を見てその都度玉貸し操作を行うのは煩わしいということから、上皿の所定箇所に球の貯留量を検出する貯留量検出センサと自動玉貸し選択／解除スイッチを設け、自動玉貸しを選択することにより、貯留量検出センサからの信号に基づいて自動的に玉貸しを行う遊技機が提案されている（特開平４ー３２７８７３号公報等参照）。
【０００５】
【発明が解決しようとする課題】
しかしながら、このように自動的に玉貸しが行われるのは遊技者にとっては大変便利であるが、この場合以下のような問題がある。
【０００６】
例えば、自動玉貸しを選択している状態での遊技中、大当たり遊技が発生すると、遊技者は大当たり遊技に熱中して自動玉貸しを選択していたことを忘れてしまう。このため、大当たり終了後に獲得球を回収しようとして上皿の遊技球を抜いた場合、センサの信号に基づいて玉貸しが遊技者の意志に反して行われてしまうのである。
【０００７】
また、遊技台を変えるとき等、自動玉貸しを選択していたことを忘れて、上皿内の遊技球を抜いたりすると、センサの信号に基づいてやはり遊技者の意志に反して玉貸しが行われてしまうのである。
【０００８】
このような玉貸しは遊技者にとっては不都合で、またその分カードの残高が減少することになる。
【０００９】
この発明は、このような無駄な玉貸しを防止できる遊技機システムを提供することを目的としている。
【００１０】
【課題を解決するための手段】
第１の発明は、カードのデータに基づいて球排出装置が遊技球を遊技機の上皿に排出することにより玉貸しを行い、排出された遊技球を発射して遊技を行うカード式遊技機システムにおいて、前記上皿の遊技球の残量を検出する遊技球残量検出手段と、前記上皿の遊技球を遊技者の操作に基づいて下皿に移動させる貯留球移動手段と、自動玉貸し状態を設定するための自動玉貸しスイッチと、自動玉貸し状態中に前記遊技球残量検出手段により遊技球の残量が所定量以下であることを検出された場合に、前記カードのデータに基づいて前記球排出装置により遊技球を自動的に排出させる自動玉貸しを指令する自動玉貸し指令手段と、前記貯留球移動手段の動作に基づき前記自動玉貸し状態を解除する自動玉貸し解除手段と、を備える。
【００１１】
第２の発明は、カードのデータに基づいて球排出装置が遊技球を遊技機の上皿に排出することにより玉貸しを行い、排出された遊技球を発射して遊技を行うカード式遊技機システムにおいて、前記上皿の遊技球の残量を検出する遊技球残量検出手段と、前記上皿の下方に配設された下皿に設けられて、遊技球を遊技者の操作に基づいて下皿から遊技機外へ移動させる貯留球移動手段と、自動玉貸し状態を設定するための自動玉貸しスイッチと、自動玉貸し状態中に前記遊技球残量検出手段により遊技球の残量が所定量以下であることを検出された場合に、前記カードのデータに基づいて前記球排出装置により遊技球を自動的に排出させる自動玉貸しを指令する自動玉貸し指令手段と、前記貯留球移動手段の動作に基づき前記自動玉貸し状態を解除する自動玉貸し解除手段と、を備える。
【００１２】
第３の発明は、第１、第２の発明において、カードが挿入される挿入部と、前記貯留球移動手段の動作に基づき前記挿入部に挿入されているカードの返却を行うカード返却指令手段と、を備える。
【００１３】
第４の発明は、第１、第３の発明において、前記貯留球移動手段は、遊技者の操作に基づいて上皿の遊技球を下皿に移動させる連通路を開状態にする駆動レバーと、該駆動レバーの作動を検出する上皿玉抜き検出センサを備えている。
【００１４】
第５の発明は、第２、第３の発明において、前記貯留球移動手段は、遊技者の操作に基づいて下皿の遊技球を遊技機外へ移動させる開閉弁を開状態にすると共に、該開閉弁の開状態を検出する下皿玉抜き検出センサを備えている。
【００１６】
【作用】
第１、第２の発明では、自動玉貸しスイッチの操作によりカードのデータに基づく自動玉貸しが行われる自動玉貸し状態が設定され、貯留球移動手段の動作に基づき前記自動玉貸し状態が解除される。また、第３の発明では、貯留球移動手段の動作に基づき、挿入部に挿入されているカードの返却が行われる。したがって、遊技球を回収する遊技終了時や遊技台を変えるときに玉貸しが行われるのが避けられる。
【００２１】
【実施例】
以下、本発明の実施例を図面に基づいて説明する。
【００２２】
図１のように遊技機（パチンコ機）１の前面枠２には遊技盤（図示しない）が配設され、遊技盤の前面はカバーガラス３により覆われる。
【００２３】
カバーガラス３のガラス枠の上部には大当たり等のパイロットランプ４、スピーカ５等が配設され、カバーガラス３のガラス枠の下方に遊技球（パチンコ玉）の供給皿（上皿）６が、その下方に受け皿（下皿）７と、打球発射装置の操作部８が配設される。
【００２４】
遊技機１の片側には、玉貸し機１０が付設される。玉貸し機１０には、カードリーダライタと、玉貸し制御装置が内蔵され、前面にカードリーダライタへのカード挿入部１１と、カード挿入部１１に挿入されたカードの残高を表示する残高表示器１２と、玉貸し機１０が作動状態にあることを示す有効表示ＬＥＤ１３が設けられる。
【００２５】
前記供給皿６は、図２、図３のように本体フレーム４０に皿カバー４１が組付けられ、皿カバー４１には上皿玉抜き装置（貯留球移動手段）の駆動レバー４２と、玉貸しの操作パネル１４が設けられる。
【００２６】
操作パネル１４には、玉貸し機１０のカード挿入部１１に挿入されたカードの残高を表示する残高表示器１５と、マニュアルの玉貸しスイッチ１６と、自動の玉貸しスイッチ１７と、カードの返却を指令するカード返却スイッチ１８と、玉貸しが可能な状態にあることを表示する玉貸し可能表示ＬＥＤ２０と、自動玉貸し中にあることを表示する自動玉貸し状態表示ＬＥＤ２１が配設される。
【００２７】
本体フレーム４０には、遊技機１裏面の排出装置からの球を皿部４３に導く排出口２３が開口され、皿部４３の流路下流には、皿部４３の球を１列に整流する玉整流部４４が形成され、玉整流部４４の流路端に打球発射装置の玉送り装置への出口（図示しない）ならびに上皿玉抜き装置の玉抜き口（図示しない）が形成される。
【００２８】
上皿玉抜き装置の駆動レバー４２が作動されると、玉抜き口が開かれて受け皿７への連通路が開かれ、皿部４３の球が玉抜き口から連通路を介して受け皿７へ排出される。駆動レバー４２には、その作動を検出する上皿玉抜き検出センサ４５が配設される。
【００２９】
皿部４３の玉整流部４４には、流路端の所定位置の側壁に遊技球の有無を検出する玉検出センサ２２（遊技球残量検出手段）が取付部材４６を介して設置される。玉検出センサ２２にはフラットタイプの近接センサが用いられ、玉整流部４４の流路端の所定位置に遊技球が有るか無いかにより、供給皿６内の遊技球の量の検出が行われる。
【００３０】
受け皿７は、皿本体４７に図４の皿カバー４８が組付けられ、これらの間に皿部底面に形成された玉抜き口５０（皿カバー４８の玉抜き口のみを図示してある）に下皿玉抜き装置（貯留球移動手段）の開閉弁５１が配設される。
【００３１】
開閉弁５１の弁板５２には駆動レバー５３が皿カバー４８の前面に設けられ、駆動レバー５３がスライドされると、弁板５２が移動して玉抜き口５０が開かれ、皿本体４７の球が遊技機外に排出される。駆動レバー５３が解放されると、スプリング５４によって弁板５２が元の位置に戻って玉抜き口５０が閉じられる。開閉弁５１には、その作動を検出する下皿玉抜き検出センサ５５が配設される。
【００３２】
なお、遊技機１裏面の排出装置からの球は、供給皿６が一杯のときは、受け皿７に送られる。
【００３３】
図５のように遊技機１の裏側には、球貯留タンク２４、球貯留タンク２４の球を排出装置２５に誘導する誘導樋２６、排出装置２５を制御する排出制御装置２７、遊技盤の各入賞装置、表示装置を制御する役物制御装置２８、打球発射装置の発射制御装置３０、玉貸しの信号加工装置３１、玉貸し機１０の玉貸し制御装置とのインターフェイス回路３２等が配設される。
【００３４】
遊技盤から入賞球が入賞球排出ユニット（図示しない）に送られると、排出制御装置２７によって排出装置２５が駆動され、排出装置２５から入賞球に基づく所定数の球が賞品球として前記供給皿６に排出される。また、玉貸し機１０から玉貸し要求があると、排出制御装置２７によって排出装置２５が駆動され、排出装置２５から要求に基づく所定数（予め設定される）の球が貸し玉として前記供給皿６に排出される。
【００３５】
図６には遊技機１および玉貸し機１０の制御系のブロック構成を示す。玉貸し機１０では、カードリーダライタ３３と玉貸し制御装置３４とでカードデータの授受が行われ、玉貸し機１０と遊技機１では、インターフェイス回路３２を介して、図７のように玉貸し制御装置３４と排出制御装置２７ならびに信号加工装置３１とで各信号の授受が行われる。
【００３６】
玉貸し制御装置３４からインターフェイス回路３２を介して排出制御装置２７へは、玉貸しの要求があるときに玉貸し要求信号Ｂが、玉貸しが可能な状態にあるときに玉貸し可能信号Ｃが、および制御装置３４，２７の接続確認信号Ｄが送られる。
【００３７】
排出制御装置２７からインターフェイス回路３２を介して玉貸し制御装置３４へは、電源供給Ａを行い、玉貸しが完了したときに玉貸し完了信号Ｅが、および遊技機１の台設置確認信号Ｆが送られる。
【００３８】
玉貸し制御装置３４からインターフェイス回路３２を介して信号加工装置３１へは、玉貸しが可能な状態にあるときに玉貸し可能表示信号Ｈが、およびカードの残高のセグメント表示信号Ｉが送られる。
【００３９】
信号加工装置３１からインターフェイス回路３２を介して玉貸し制御装置３４へは、玉貸しの指令時に玉貸しスイッチ信号Ｇが、カードの返却の指令時にカード返却スイッチ信号Ｊが送られる。
【００４０】
遊技機１の操作パネル１４のマニュアルの玉貸しスイッチ１６、自動の玉貸しスイッチ１７、カード返却スイッチ１８、供給皿６の玉検出センサ２２、および上皿玉抜き検出センサ４５、下皿玉抜き検出センサ５５からの各信号は信号加工装置３１に入力され、玉貸し可能表示ＬＥＤ２０、自動玉貸し状態表示ＬＥＤ２１、残高表示器１５の表示は信号加工装置３１により行われる。
【００４１】
玉貸し機１０のカード挿入部１１に所定のカードが挿入されると、玉貸し機１０の残高表示器１２にカードの残高が表示され、玉貸し制御装置３４から排出制御装置２７へ玉貸し可能信号が送られる一方、玉貸し制御装置３４から信号加工装置３１へ玉貸し可能表示信号ならびにセグメント表示信号が送られ、操作パネル１４の玉貸し可能表示ＬＥＤ２０が表示され、残高表示器１５にカードの残高が表示される。
【００４２】
この際、信号加工装置３１から玉貸し制御装置３４へ玉貸しスイッチ信号が送られると、玉貸し制御装置３４から排出制御装置２７へ玉貸し機１０で予め設定された所定の球数データ（例えば５００円分）の玉貸し要求信号が送られ、排出制御装置２７によって排出装置２５が駆動され、排出装置２５から要求に基づく所定数の球が貸し玉として遊技機１の供給皿６に排出される。
【００４３】
この貸し玉の排出が完了すると、排出制御装置２７から玉貸し制御装置３４へ玉貸し完了信号が送られ、所定値が引かれた残りの残高が残高表示器１２に表示される一方、玉貸し制御装置３４から信号加工装置３１へ送られるセグメント信号が切り替えられ、同じく残りの残高が操作パネル１４の残高表示器１５に表示される。
【００４４】
なお、カードの残高がなくなるとあるいは信号加工装置３１から玉貸し制御装置３４へカード返却スイッチ信号が送られると玉貸しが不可となり、玉貸し制御装置３４から玉貸し可能信号、玉貸し可能表示信号が出力されず、玉貸し可能表示ＬＥＤ２０が消灯されると共に、カードが返却される。
【００４５】
図８には信号加工装置３１（変換指令手段）のブロック構成を示す。信号加工装置３１は自動玉貸し、手動玉貸しの制御機能を持ち、玉貸し制御手段６０、自動玉貸し解除手段６１、無効時間監視手段６２、無効時間設定手段６３、玉貸し信号禁止手段６４、玉貸し信号生成手段６５、玉貸し信号出力手段６６、自動玉貸し状態放置監視手段６７、タイマ６８、信号中継手段６９等からなる。
【００４６】
操作パネル１４の自動玉貸しスイッチ１７からの信号は、玉貸し制御手段６０、自動玉貸し解除手段６１に入力される。操作パネル１４のマニュアル玉貸しスイッチ１６からの信号、供給皿６の玉検出センサ２２からの信号は、玉貸し制御手段６０に入力される。上皿玉抜き検出センサ４５、下皿玉抜き検出センサ５５からの信号は、自動玉貸し解除手段６１に入力される。
【００４７】
玉貸し制御手段６０は、非自動玉貸し状態のときに自動玉貸しスイッチ１７が押されて自動玉貸しスイッチ１７からオン信号が入力されると、自動玉貸し状態となり、自動玉貸し状態のときに自動玉貸しスイッチ１７が押されて自動玉貸しスイッチ１７からオン信号が入力されると、非自動玉貸し状態となる。
【００４８】
自動玉貸し解除手段６１から解除信号が入力されると、玉貸し制御手段６０は非自動玉貸し状態となる。自動玉貸し状態のとき、操作パネル１４の自動玉貸し状態表示ＬＥＤ２１を表示する。
【００４９】
玉貸し制御手段６０が、非自動玉貸し状態のとき、マニュアル玉貸しスイッチ１６が押されてマニュアル玉貸しスイッチ１６からオン信号が入力されると、玉貸し信号生成手段６５に手動玉貸し信号を出力する。
【００５０】
玉貸し制御手段６０が、自動玉貸し状態のとき、供給皿６の玉検出センサ２２からオン信号（センサ位置まで遊技球がない）が入力されると、玉貸し生成手段６５ならびに無効時間監視手段６２に自動玉貸し信号を出力する。
【００５１】
玉貸し制御手段６０が、自動玉貸し状態のとき、マニュアル玉貸しスイッチ１６からオン信号が入力された場合、そのオン信号を無効にする。
【００５２】
玉貸し信号生成手段６５は、玉貸し制御手段６０から手動玉貸し信号が入力されると、玉貸し信号出力手段６６に玉貸し指令を出力する。また、玉貸し信号禁止手段６４から禁止指令がないときに、玉貸し制御手段６０から自動玉貸し信号が入力されると、玉貸し信号出力手段６６に玉貸し指令を出力する。
【００５３】
玉貸し信号出力手段６６は、玉貸し信号生成手段６５から玉貸し指令を受けると、玉貸しスイッチ信号をインターフェイス回路３２に出力する。
【００５４】
無効時間監視手段６２は、自動玉貸しが行われた直後の所定期間自動玉貸しを禁止するもので、玉貸し制御手段６０から自動玉貸し信号が入力されスタートすると、玉貸し信号禁止手段６４に玉貸し禁止信号を出力し、無効時間設定手段６３による所定の設定時間（所定数の遊技球を打球発射装置から発射するのに要する時間）が経過すると、玉貸し禁止信号の出力を中止する。
【００５５】
玉貸し信号禁止手段６４は、無効時間監視手段６３から玉貸し禁止信号が入力されると、入力されている間、玉貸し信号生成手段６５に自動玉貸しの禁止指令を出力する。
【００５６】
自動玉貸し解除手段６１は、供給皿６の玉抜き装置が作動されて上皿玉抜き検出センサ４５からオン信号が、あるいは受け皿７の玉抜き装置が作動されて下皿玉抜き検出センサ５５からオン信号が、あるいは操作パネル１４のカード返却スイッチ１８からオン信号が入力されると、また自動玉貸し状態放置監視手段６７から解除指令を受けると、玉貸し制御手段６０に解除信号を出力する。
【００５７】
なお、自動玉貸し状態放置監視手段６７は、インターフェイス回路３２から信号中継手段６９を介して玉貸し可能表示ＬＥＤ２０に送る玉貸し可能表示信号および玉貸し制御手段６０からの信号を基に、自動玉貸し状態であり、かつ玉貸しが不可のときにタイマ６８を監視し、自動玉貸し状態のまま所定長時間が過ぎると放置状態と判断して自動玉貸し解除手段６１に解除指令を出力する。
【００５８】
この信号加工装置３１による玉貸し制御を図９のフローチャートに基づいて説明する。
【００５９】
ステップ１、２では、上皿玉抜き検出センサ４５がオンした場合、また下皿玉抜き検出センサ５５がオンした場合、ステップ１５にて自動玉貸し状態を解除する。
【００６０】
ステップ３では、カード返却スイッチ１８がオンした場合、ステップ１３，１４にて自動玉貸し状態を解除して、玉貸し機１０に挿入されているカードの返却を指令するカード返却スイッチ信号を出力する。
【００６１】
ステップ４では、自動玉貸し中（自動玉貸し状態）かどうかを判定し、自動玉貸し状態にないときはステップ５に進み、自動玉貸し状態のときはステップ９に進む。
【００６２】
ステップ５では、マニュアル玉貸しスイッチ１６がオンすると、ステップ６にて玉貸しを指令する玉貸しスイッチ信号を出力する。
【００６３】
ステップ７では、自動玉貸しスイッチ１７がオンすると、ステップ８にて自動玉貸し状態を設定する。
【００６４】
一方、ステップ９では、供給皿６の玉検出センサ２２がオン（遊技球が所定量以下）したかどうかを判定し、玉検出センサ２２がオンしたとき、ステップ１０にて玉貸しを指令する玉貸しスイッチ信号を出力する。
【００６５】
ステップ１１では、自動玉貸しスイッチ１７がオンすると、ステップ１２にて自動玉貸し状態を解除する。
【００６６】
なお、玉貸しスイッチ信号の出力に基づき排出装置２５から所定数の貸し玉を供給皿６に排出する。
【００６７】
このような構成により、自動玉貸し状態にないときに、マニュアル玉貸しスイッチ１６をオンすると、玉貸し機１０の玉貸し制御装置３４に玉貸しスイッチ信号が出力され、これに基づき排出装置２５から所定数の貸し玉が供給皿６に排出される。
【００６８】
一方、自動玉貸し状態にあるときに、玉検出センサ２２が供給皿６の遊技球が所定量以下を検出すると、玉貸し機１０の玉貸し制御装置３４に玉貸しスイッチ信号が出力され、これに基づき排出装置２５から所定数の貸し玉が供給皿６に排出される。
【００６９】
この自動玉貸し状態は自動玉貸しスイッチ１７のオンにより選択されるが、自動玉貸し状態にあるときに、供給皿６の玉抜き装置の駆動レバー４２が作動され、上皿玉抜き検出センサ４５がオンされると、あるいは受け皿７の玉抜き装置の駆動レバー５３が作動され、下皿玉抜き検出センサ５５がオンされると、自動玉貸し状態が解除される。
【００７０】
即ち、供給皿６の玉抜き装置によって供給皿６の玉抜き（供給皿６の球が受け皿７に排出）が行われると、あるいは受け皿７の玉抜き装置によって受け皿７の玉抜き（受け皿７の球が遊技機外に排出）が行われると、自動玉貸し状態が解除される。
【００７１】
このため、遊技中に大当たりが発生して、遊技者が大当たり遊技に熱中して自動玉貸し状態にあることを忘れていても、遊技終了時等に供給皿６の玉抜き装置や受け皿７の玉抜き装置を操作してこれらの玉抜きが行われると、玉検出センサ２２からの信号によって自動玉貸しが行われるのが回避される。
【００７２】
また、大当たり遊技中に多量の獲得球が送られる受け皿７の玉抜きが行われることで、大当たり遊技中から自動玉貸しが回避されるため、大当たり遊技中の獲得球の変動が大きいとき、あるいは大当たり終了後に継続して遊技を行っているときに、獲得球があるのに自動玉貸しが行われるのが回避される。
【００７３】
また、遊技台を変えるとき等、自動玉貸し状態にあることを忘れて、供給皿６の玉抜きや受け皿７の玉抜きを行った場合にも、自動玉貸しが回避される。
【００７４】
なお、カード返却スイッチ１８をオンすれば、カード挿入部１１に挿入されているカードが返却されると共に、自動玉貸し状態は解除される。
【００７５】
このように、遊技者の意志に反した玉貸しが防止され、適正な自動玉貸しが確保される。
【００７６】
また、自動玉貸し状態にあるときに、マニュアル玉貸しスイッチ１６がオンされても、そのオンによって玉貸しが行われることはない。このため、自動玉貸し状態にあるときに、遊技者が誤ってマニュアル玉貸しスイッチ１６をオンした場合、無駄な遊技球の購入が避けられる。
【００７７】
また、自動玉貸しが行われた直後の所定期間は自動玉貸しが禁止されるので、玉貸し中の玉詰まり等によって玉貸しが続けて行われることが防止される。
【００７８】
図１０、図１１は本発明の他の実施例を示す。この例は、供給皿６あるいは受け皿７の玉抜きを行った場合に、自動玉貸し状態を解除すると共に、カードを返却するようにしたものである。
【００７９】
信号加工装置３１は、玉貸し制御手段６０、自動玉貸し解除手段６１、無効時間監視手段６２、無効時間設定手段６３、玉貸し信号禁止手段６４、玉貸し信号生成手段６５、玉貸し信号出力手段６６、自動玉貸し状態放置監視手段６７、タイマ６８、信号中継手段６９等からなる。
【００８０】
供給皿６の上皿玉抜き検出センサ４５、受け皿７の下皿玉抜き検出センサ５５からの信号は、操作パネル１４のカード返却スイッチ１８からの信号と同様に自動玉貸し解除手段６１、信号中継手段６９に送られる。
【００８１】
供給皿６の上皿玉抜き検出センサ４５からオン信号が、あるいは受け皿７の下皿玉抜き検出センサ５５からオン信号が、あるいはカード返却スイッチ１８からオン信号が入力されると、自動玉貸し解除手段６１は玉貸し制御手段６０に自動玉貸しの解除信号を出力する。
【００８２】
供給皿６の上皿玉抜き検出センサ４５からオン信号が、あるいは受け皿７の下皿玉抜き検出センサ５５からオン信号が、あるいはカード返却スイッチ１８からオン信号が送られると、信号中継手段６９はそのオン信号をカード返却スイッチ信号としてインターフェイス回路３２に出力する。
【００８３】
なお、前図８と同一の部分には同符号を付してある。玉貸し機１０の玉貸し制御装置３４と遊技機１の排出制御装置２７ならびに信号加工装置３１間の制御信号は前図６、図７と同じである。
【００８４】
この信号加工装置３１による玉貸し制御を図１１のフローチャートに基づいて説明すると、ステップ２１〜２３では、上皿玉抜き検出センサ４５がオンした場合、また下皿玉抜き検出センサ５５がオンした場合、またカード返却スイッチ１８がオンした場合、ステップ３３，３４にて自動玉貸し状態を解除して、玉貸し機１０に挿入されているカードの返却を指令するカード返却スイッチ信号を出力する。
【００８５】
ステップ２４では、自動玉貸し中（自動玉貸し状態）かどうかを判定し、自動玉貸し状態にないときはステップ２５に進み、自動玉貸し状態のときはステップ２９に進む。
【００８６】
ステップ２５では、マニュアル玉貸しスイッチ１６がオンすると、ステップ２６にて玉貸しを指令する玉貸しスイッチ信号を出力する。
【００８７】
ステップ２７では、自動玉貸しスイッチ１７がオンすると、ステップ２８にて自動玉貸し状態を設定する。
【００８８】
一方、ステップ２９では、供給皿６の玉検出センサ２２がオン（遊技球が所定量以下）したかどうかを判定し、玉検出センサ２２がオンしたとき、ステップ３０にて玉貸しを指令する玉貸しスイッチ信号を出力する。
【００８９】
ステップ３１では、自動玉貸しスイッチ１７がオンすると、ステップ３２にて自動玉貸し状態を解除する。
【００９０】
即ち、供給皿６の玉抜きや受け皿７の玉抜きが行われると、カード返却スイッチ１８がオンされたときと同様に、自動玉貸し状態が解除されると共に、カード挿入部１１に挿入されているカードが返却される。
【００９１】
このようにすれば、遊技者の意志に反した玉貸しが防止され、カード返却スイッチ１８によるカード返却操作の手間が省けると共に、遊技終了時等に遊技者が誤ってマニュアル玉貸しスイッチあるいは自動玉貸しスイッチをオンした場合に、無駄な遊技球の購入が防止される。
【００９２】
図１２〜図１６は本発明の他の実施例を示す。この例は、自動玉貸し、手動玉貸しの玉貸し数を変更可能にすると共に、玉貸し数を変更したときに自動玉貸しを解除するようにしたものである。
【００９３】
図１２のように供給皿６の操作パネル１４の近傍に玉貸し数変更スイッチ７５が配設される。
【００９４】
図１３は遊技機１および玉貸し機１０の制御系のブロック構成を、図１４はこれらの制御信号を示しており、遊技機１の信号加工装置３１からインターフェイス回路３２を介して玉貸し制御装置３４へは、玉貸しの指令時に玉貸しスイッチ信号Ｇが、カードの返却の指令時にカード返却スイッチ信号Ｊが送られると共に、玉貸し数変更スイッチ７５のオン時に玉貸し数変更信号Ｋが送られる。
【００９５】
信号加工装置３１から玉貸し制御装置３４へ玉貸しスイッチ信号が送られると、玉貸し制御装置３４から排出制御装置２７へ玉貸し機１０で設定された球数データの玉貸し要求信号が送られるが、玉貸し数変更信号が送られると、玉貸し機１０で球数データが切替設定される。
【００９６】
この球数データは複数（例えば２００円分、３００円分、５００円分）設定され、玉貸し数変更信号が送られると、その球数データが順に切替えられる。例えば、２００円分の球数データに設定されているときに、玉貸し数変更信号が送られると、３００円分の球数データに切替えられ、この場合玉貸しスイッチ信号が送られると、３００円分の球数データの玉貸し要求信号が排出制御装置２７に送られ、これに基づき排出制御装置２７により排出装置２５が駆動され、排出装置２５から３００円分の球数データに基づく数の球が貸し玉として遊技機１の供給皿６に排出される。
【００９７】
図１５は信号加工装置３１のブロック構成を示しており、玉貸し制御手段６０、自動玉貸し解除手段６１、無効時間監視手段６２、無効時間設定手段６３、玉貸し信号禁止手段６４、玉貸し信号生成手段６５、玉貸し信号出力手段６６、玉貸し数変更手段７６、玉貸し数変更信号出力手段７７、自動玉貸し状態放置監視手段６７、タイマ６８、信号中継手段６９等からなる。
【００９８】
供給皿６の玉貸し数変更スイッチ７５からの信号は、自動玉貸し解除手段６１、玉貸し数変更手段７６および信号中継手段６９に送られる。
【００９９】
玉貸し数変更スイッチ７５が押されて玉貸し数変更スイッチ７５からオン信号が入力されると、自動玉貸し解除手段６１は玉貸し制御手段６０に自動玉貸しの解除信号を出力する。
【０１００】
玉貸し数変更スイッチ７５が押されて玉貸し数変更スイッチ７５からオン信号が入力されると、玉貸し数変更手段７６は玉貸し数変更信号出力手段７７に変更指令を出力する。
【０１０１】
玉貸し数変更信号出力手段７７は、玉貸し数変更手段７６から変更指令を受けると、玉貸し数変更信号をインターフェイス回路３２に出力する。
【０１０２】
玉貸し数変更スイッチ７５からオン信号が、あるいはカード返却スイッチ１８からオン信号が送られると、信号中継手段６９はそのオン信号をカード返却スイッチ信号としてインターフェイス回路３２に出力する。
【０１０３】
なお、前図２、図６〜図８と同一の部分には同符号を付してある。
【０１０４】
この信号加工装置３１による玉貸し制御を図１６のフローチャートに基づいて説明すると、ステップ４１では、玉貸し数変更スイッチ７５がオンしたかどうか判定し、玉貸し数変更スイッチ７５がオンした場合、玉貸し数変更信号を出力すると共に、ステップ５４，５５にて自動玉貸し状態を解除し、玉貸し機１０に挿入されているカードの返却を指令するカード返却スイッチ信号を出力する。
【０１０５】
ステップ４２〜４４では、上皿玉抜き検出センサ４５がオンした場合、また下皿玉抜き検出センサ５５がオンした場合、またカード返却スイッチ１８がオンした場合、ステップ５４，５５にて自動玉貸し状態を解除し、玉貸し機１０に挿入されているカードの返却を指令するカード返却スイッチ信号を出力する。
【０１０６】
ステップ４５では、自動玉貸し中（自動玉貸し状態）かどうかを判定し、自動玉貸し状態にないときはステップ４６に進み、自動玉貸し状態のときはステップ５０に進む。
【０１０７】
ステップ４６では、マニュアル玉貸しスイッチ１６がオンすると、ステップ４７にて玉貸しを指令する玉貸しスイッチ信号を出力する。
【０１０８】
ステップ４８では、自動玉貸しスイッチ１７がオンすると、ステップ４９にて自動玉貸し状態を設定する。
【０１０９】
一方、ステップ５０では、供給皿６の玉検出センサ２２がオン（遊技球が所定量以下）したかどうかを判定し、玉検出センサ２２がオンしたとき、ステップ５１にて玉貸しを指令する玉貸しスイッチ信号を出力する。
【０１１０】
ステップ５２では、自動玉貸しスイッチ１７がオンすると、ステップ５３にて自動玉貸し状態を解除する。
【０１１１】
なお、玉貸し数変更信号の出力に基づき玉貸しの球数データを切り替え、排出装置２５から供給皿６に排出する貸し玉数を変更する。
【０１１２】
即ち、玉貸し数変更スイッチ７５をオンして玉貸し数を変更すると、自動玉貸し状態が解除されると共に、カード挿入部１１に挿入されているカードが返却される。玉貸し数の変更によるカードの返却は行わないようにしても良い。
【０１１３】
これによれば、玉貸し数変更スイッチ７５を操作して玉貸し数を変更する毎に自動玉貸し状態が解除されるため、遊技者にとって自動玉貸し状態にあるかないかが容易に把握され、したがって遊技終了時等に、遊技者の意志に反した玉貸しが容易に回避される。
【０１１４】
なお、玉貸し数変更スイッチ７５にて玉貸し数が変更可能なため、極めて便利である。
【０１１５】
【発明の効果】
以上のように第１〜第３の発明によれば、遊技球を回収する遊技終了時や遊技台を変えるときに玉貸しが行われるのが避けられ、遊技者の意志に反した無駄な玉貸しが防止される。
【０１１８】
第４、第５の発明によれば、貯留球移動手段の動作状態が的確に検出される。
【図面の簡単な説明】
【図１】遊技機システムの前面側の斜視図である。
【図２】供給皿部分の斜視図である。
【図３】その分解斜視図である。
【図４】受け皿部分の分解斜視図である。
【図５】遊技機の裏面図である。
【図６】制御系のブロック構成図である。
【図７】制御信号図である。
【図８】信号加工装置のブロック構成図である。
【図９】その制御内容を示すフローチャートである。
【図１０】他の実施例の信号加工装置のブロック構成図である。
【図１１】その制御内容を示すフローチャートである。
【図１２】他の実施例の供給皿部分の斜視図である。
【図１３】制御系のブロック構成図である。
【図１４】制御信号図である。
【図１５】信号加工装置のブロック構成図である。
【図１６】その制御内容を示すフローチャートである。
【符号の説明】
１  遊技機
６  供給皿
７  受け皿
１０  玉貸し機
１１  カード挿入部
１２  残度表示器
１３  有効表示ＬＥＤ
１４  操作パネル
１５  残高表示器
１６  マニュアル玉貸しスイッチ
１７  自動玉貸しスイッチ
１８  カード返却スイッチ
２０  玉貸し可能表示ＬＥＤ
２１  自動玉貸し状態表示ＬＥＤ
２２  玉検出センサ
２３  排出口
２５  排出装置
２７  排出制御装置
２８  役物制御装置
３０  発射制御装置
３１  信号加工装置
３２  インターフェイス回路
３３  カードリーダライタ
３４  玉貸し制御装置
４０  本体フレーム
４１  皿カバー
４２  駆動レバー
４３  皿部
４４  玉整流部
４５  上皿玉抜き検出センサ
４７  皿本体
４８  皿カバー
５０  玉抜き口
５１  開閉弁
５３  駆動レバー
５５  下皿玉抜き検出センサ
６０  玉貸し制御手段
６１  自動玉貸し解除手段
６２  無効時間監視手段
６３  無効時間設定手段
６４  玉貸し信号禁止手段
６５  玉貸し信号生成手段
６６  玉貸し信号出力手段
６７  自動玉貸し状態放置監視手段
６８  タイマ
６９  信号中継手段
７５  玉貸し数変更スイッチ
７６  玉貸し数変更手段
７７  玉貸し数変更信号出力手段
【図１】
0003794727.tif 000002
【図２】
0003794727.tif 000003
【図３】
0003794727.tif 000004
【図４】
0003794727.tif 000005
【図５】
0003794727.tif 000006
【図６】
0003794727.tif 000007
【図７】
0003794727.tif 000008
【図８】
0003794727.tif 000009
【図９】
0003794727.tif 000010
【図１０】
0003794727.tif 000011
【図１１】
0003794727.tif 000012
【図１２】
0003794727.tif 000013
【図１３】
0003794727.tif 000014
【図１４】
0003794727.tif 000015
【図１５】
0003794727.tif 000016
【図１６】
0003794727.tif 000017